(57)【特許請求の範囲】
【請求項１】
テープを繰り出し可能に収容するためのケース、
該ケースに設けられた軸受と、
該軸受に旋回自在に支持され、自由端側にテープを切断するための切断手段が設けられ、該切断手段を収納する方向に付勢された揺腕と、
前記軸受に旋回自在に支持され、前記揺腕が付勢される方向を、前記切断手段が振り下ろされる方向に切り換えるためのアーム部と、テープを切断する際に繰り出されたテープの先端部を押圧するための押圧部からなる引き金手段と、
前記揺腕の旋回角度を規制するための第１の旋回角度規制手段と、
前記引き金手段の旋回角度を規制するための第２の旋回角度規制手段と、
テープを繰り出すためのテープ繰り出し手段
とを備えてなるテープホルダ。
【請求項２】
前記第１の旋回角度規制手段が、前記軸受に設けられた第１の係止ピンおよび該係止ピンに平行に設けられた第２の係止ピンからなり、前記第２の旋回角度規制手段が、前記引き金手段のアーム部に設けられ、該第２の係止ピンを挿通する長孔からなる請求項１記載のテープホルダ。
【請求項３】
前記第２の旋回角度規制手段が、前記第１の係止ピンと当接する前記引き金手段のアーム部であることを特徴とする請求項２記載のテープホルダ。
【請求項４】
前記テープ繰り出し手段が、前記第２の係止ピンに回転自在に軸支された第１のローラと、前記軸受に回転自在に支持された第２のローラからなる請求項１、２または３記載のテープホルダ。
【請求項５】
テープが切断されたのち、繰り出されたテープの先端が第１のローラ上に位置づけられるように維持するための手段を備えてなる請求項４記載のテープホルダ。
【請求項６】
ケース内に収納されたテープを手動により移動させるための孔が設けられてなる請求項４または５記載のテープホルダ。
【請求項７】
当該テープホルダを使用していない状態において前記軸受が、テープを貼着する面より浮き上がることを特徴とする請求項１、２、３、４、５または６記載のテープホルダ。
【発明の詳細な説明】
【０００１】
【発明の属する技術分野】
本発明はテープホルダーに関する。さらに詳しくは、テープの繰り出し、貼着、切断、切断手段ないしは刃物の収納を、テープがケース内に収納されている間片手で連続して行なえるテープホルダに関する。
【０００２】
【従来の技術】
環状に巻き取られた状態で販売されている事務用のテープは、通常、テープを切断するための刃と共に販売されている。テープを使用する際、一方の手で１巻のテープをもち、他方の手で適当な長さまでテープを繰り出した後、刃で切断し、両手を用いて貼着する。このように、テープの繰り出しと、切断と、貼着の作業は両手で行なわなければならず非常に煩雑である。
【０００３】
かかる煩雑な作業を回避するものとして、環状の１巻のテープを挿通するドラムが回転自在に設けられたケースと、該ケースに固定された刃物からなる事務用のテープホルダが従来より知られている。
【０００４】
【発明が解決しようとする課題】
しかし、従来のテープホルダは、テープを適当な長さで切断するところまでは、片手で作業ができるものの、貼着作業は両手で行なわなければならないという欠点がある。
【０００５】
本発明は、叙上の従来の問題点を解消しテープの繰り出しと、貼着、切断、切断手段ないしは刃物の収納を、テープがケース内に収納されている間片手で連続して行なえるテープホルダを提供することを目的とするものである。
【０００６】
【課題を解決するための手段】
本発明のテープホルダは、テープを繰り出し可能に収容するためのケース、
該ケースに設けられた軸受と、
該軸受に旋回自在に支持され、自由端側にテープを切断するための切断手段が設けられ、該切断手段を収納する方向に付勢された揺腕と、
前記軸受に旋回自在に支持され、前記揺腕が付勢される方向を、前記切断手段が振り下ろされる方向に切り換えるためのアーム部と、テープを切断する際に繰り出されたテープの先端部を押圧するための押圧部からなる引き金手段と、
前記揺腕の旋回角度を規制するための第１の旋回角度規制手段と、
前記引き金手段の旋回角度を規制するための第２の旋回角度規制手段と、
テープを繰り出すためのテープ繰り出し手段
とを備えてなることを特徴としている。
【０００７】
また、前記第１の旋回角度規制手段が、前記軸受に設けられた第１の係止ピンおよび該係止ピンに平行に設けられた第２の係止ピンからなり、前記第２の旋回角度規制手段が、前記引き金手段のアーム部に設けられ、該第２の係止ピンを挿通する長孔からなることが好ましい。
【０００８】
また、前記第２の旋回角度規制手段は、前記第１の係止ピンと当接する前記引き金手段のアーム部からなるようにすることもできる。
【０００９】
また、前記テープ繰り出し手段が、前記第２の係止ピンに回転自在に軸支された第１のローラと、前記軸受に回転自在に支持された第２のローラからなることが好ましい。
【００１０】
また、テープが切断されたのち、繰り出されたテープの先端が第１のローラ上に位置づけられるように維持するための手段を備えてなることが好ましい。
【００１１】
また、ケース内に収納されたテープを手動により移動させるための孔が設けられてなることが好ましい。
【００１２】
【発明の実施の形態】
添付図面を参照しながら本発明の実施の形態にかかわるテープホルダを以下に詳細に説明する。
【００１３】
図１は、本発明の一実施の形態にかかわるテープホルダの一例を示す斜視図、図２は図１のテープホルダの要部分解斜視図、図３および図４は図１のテープホルダの使用状態を示す説明図である。
【００１４】
図１〜２に示されるように、本実施の形態のテープホルダ１は、１巻の環状テープ１０（図３、４参照）を収容するための概略ドーナツ状の形状のケース２と、ケース２に並置されるように設けられた軸受Ｂ１、Ｂ２と、該軸受Ｂ１、Ｂ２に軸Ａ１を介して旋回自在に支持された切断手段３と、該軸受Ｂ１、Ｂ２に軸Ａ２を介して旋回自在に支持された引き金手段４と、切断手段３の揺腕３ａの旋回角度を規制するための第１の旋回角度規制手段として機能する第１および第２の係止ピンＳ１、Ｓ２と、引き金手段４の旋回角度を規制するための第２の旋回角度規制手段として機能する長孔４ｂと、テープ１０を繰り出すためのテープ繰り出し手段Ｒ１、Ｒ２とを備えている。なお、第２の旋回角度規制手段は、第１の係止ピンＳ１に引き金手段３の第１および第２のアーム部１４Ａ、１４Ｂの先端を当接させることによっても達成され得る。
【００１５】
本実施の形態においては、ケース２は、２つの部分２ａ、２ｂから構成され、ヒンジ２ｃによって連結されている。図中ヒンジ２ｃはケース２とは別体として描かれているが、ケース２が合成樹脂製であれば、ケース２ａおよび２ｂと一体に成形することができ、このようなものも本発明に含まれる。また、ケース２の内周面側がドラムＤ（図２参照）として機能し、これによりテープ１０は回転自在かつ繰り出し可能に設けられる。
【００１６】
ケース２の側面２には、図１に示されるように、指を挿入できる程度の大きさの孔Ｈ１が設けられている。
【００１７】
前記揺腕３の自由端側には、テープ１０を切断するための切断手段として機能する刃物３ｂがネジ３ｃを介して設けられている。また、本実施の形態において、切断手段３の揺腕３ａは、概略二股状の形状（すなわち、フォーク状の形状）を呈しており、二股に分岐した両端に孔３ｄが穿設されており（図２参照）、この孔３ｄに、軸受Ｂ１、Ｂ２に枢支された軸Ａ１が挿通している。揺腕３ａの二股が連結した部位にピンＰ２（図３参照）に引張コイルバネＣの一端が固定されている。引張コイルバネＣの他端に設けられたアイＣａをピンＰ１が挿通している（図２参照）。引き金手段４は、互いに対向し離間して配設された１対のアーム部１４Ａ、１４Ｂを有しており、このアーム部１４Ａ、１４Ｂに同軸状に穿設された孔４ａ、４ｂをピンＰ１が挿通している。また、該アーム部１４Ａ、１４Ｂの先端にピンＴが設けられている。図１を参照すると、このピンＴが露出されており、引き金手段４を指で操作できるようにしている。
【００１８】
すなわち、切断手段３の揺腕３ａは、引き金手段４に外力を加えない状態において、切断手段３の刃物３ｂを収納する方向（すなわち、時計方向）に引張コイルバネＣによって付勢されている。
【００１９】
引き金手段４は、前記揺腕３ａが引張コイルバネＣにより付勢される方向を、切断手段３の刃物３ｂが振り下ろされる方向（すなわち、反時計方向）に切り換えるためのアーム部１４Ａ、１４Ｂと、繰り出されたテープ１０の先端部を貼着面Ｆ（図３、４参照）に対して押圧するための押圧部４ｃ（図２参照）から構成される。
【００２０】
アーム部１４Ａ、１４Ｂは、軸受Ｂ１、Ｂ２に枢支された軸Ａ２を介して軸受Ｂ１、Ｂ２に旋回自在に支持されている。
【００２１】
本実施の形態において、第１の旋回角度規制手段Ｓ１、Ｓ２は、軸受Ｂ１、Ｂ２に枢支され、互いに平行に配設された軸Ｓ１およびＳ２から構成される。また、第２の旋回角度規制手段４ｂは、前述の互いに対向し離間して配設された１対のアーム部１４Ａ、１４Ｂに同軸状に穿設され、軸Ｓ２を挿通する長孔４ｂである。
【００２２】
本実施の形態においては、軸受Ｂ１、Ｂ２に枢支された軸Ｓ２に回転自在に設けられた第１のローラＲ１と、軸受Ｂ１、Ｂ２に枢支された軸Ａ３に回転自在に設けられた第２のローラＲ２とが、テープ１０を繰り出すためのテープ繰り出し手段として機能する。なお、本実施の形態では、第１および第２のローラＲ１、Ｒ２は共に軸受Ｂ１、Ｂ２に軸支されているが、第２のローラＲ２はケース２に設けることもできる。また、図１に示されたテープホルダ１は、テープの貼着作業を行なわない状態（すなわち、机の上に放置された状態）において、第１のローラＲ１が接する面より上方にあるようにすると、テープ先端の糊が塗布された面が机の表面や書類などにくっついたりすることがないという利点がある。
【００２３】
図２を参照すると、軸受Ｂ１、Ｂ２には、多数の山と谷とが設けられて該多数の山とテープに糊が付着された面とが線接触するラック状の部材５ａと、テープに糊が付着された面と点接触する鋸歯状の部材５ｂとが、テープの逆流防止手段（すなわち、テープ１０が切断されたのち、繰り出されたテープの先端が第１のロール上に位置づけられるように維持するための手段）として機能する。
【００２４】
叙上のように構成される本発明のテープホルダーの動作について、主として図１、３および４を参照しつつ以下に説明する。
【００２５】
図１に示されるように、テープ１０に糊が付着された面を下にしてケース２に装着し、テープ１０の先端を第１のローラＲ１の真下にくるようにセットする。
【００２６】
接着に必要な箇所にテープ１０の先端を、ケース２を片手でもって第１のローラＲ１で押えつけながら、ケース２を第１および第２のローラＲ１、Ｒ２の回転を利用して、該ケース２を後方に移動することによって、テープ１０を貼着するに要する長さだけ繰り出し、被貼着材の表面Ｆに貼着する。このとき、図３に示されるように、揺腕３ａの二股が連結した部位と、引き金手段４のアーム部１４Ａ、１４Ｂに設けられたピンＰ１とのあいだに接続された引張コイルバネＣの引き金４側の端部（すなわち、ピンＰ１に接続された部位）が揺腕３ａの支点である軸Ａ１より上方にあるため、引張コイルバネＣにより揺腕３ａは、時計方向に旋回するように付勢されており軸Ｓ１に当接している。
【００２７】
必要な長さだけテープ１０を貼着すると、第１および第２のローラＲ１、Ｒ２の回転を止め（すなわち、ケース２を後方に引くのを止める）、引き金手段４の押圧部４ｃの底部全体で被貼着材およびテープを押えつけながら、引き金手段４の支点である軸Ａ２を中心にケース２の後方を持ち上げる（図４参照）。ここで、引き金手段４に着目すると、図３に示された状態から図４に示された状態（すなわち、引き金手段４の支点である軸Ａ２を中心にケース２の後方を持ち上げた状態）への変化にかかわらず静止した状態が維持され、軸Ｓ１と切断手段３とが一体となって軸Ａ２のまわりをいわば公転するように運動する。したがって、このように引き金手段４に着目した場合、切断手段３の支点Ａ１が上方に移動する。また、ローラＲ１およびＲ２とケース２とが、テープ１０を押圧し貼りつけていた箇所より軸Ａ２を支点として浮き上がるように運動し、被貼着面に貼りつけられたテープ１０と第１のローラＲ１とのあいだに空間が生じる。同時に、揺腕３ａの二股が連結した部位と、引き金手段４のアーム部１４Ａ、１４Ｂに設けられたピンＰ１とのあいだに接続された引張コイルバネＣの両端Ｐ１およびＰ２を結ぶ直線が、切断手段３の支点Ａ１の下方に位置したとき、引張コイルバネＣによる切断手段３の揺腕３ａの付勢方向が、反時計方向に切り換わり、該引張コイルバネＣの張力に起因する付勢力により揺腕３ａが反時計方向に旋回し、刃物３ｂが振り下ろされ、貼着したテープ１０と第１のローラＲ１とのあいだの空間に刃物３ｂの先端が飛び出して、貼着していないテープの部分を切断する（図４参照）。テープ切断直後に揺腕３ａは第１の旋回角度規制手段Ｓ２に当接し、引張コイルバネＣが、初期状態（すなわち、軸Ａ２を中心にケース２の後方を持ち上げる前の状態）における長さよりも長い状態で維持されて係止する。したがって、引き金手段４の押圧部４ｃの底部全体で被貼着材およびテープへのを押えつけを止めると、引張コイルバネＣの復元力（すなわち、引張コイルバネＣの両端Ｐ１およびＰ２の間の長さが初期状態より長くなっているため、初期状態の長さに戻ろうする力）により、引張コイルバネＣの一端Ｐ１が元の位置に戻る過程で、引張コイルバネＣの両端Ｐ１およびＰ２を結ぶ直線より軸Ａ１の位置が上方に位置したとき引張コイルバネＣの他端Ｐ２が上方に引っ張られ、これにより切断手段３が時計方向に旋回して、第１の旋回角度規制手段Ｓ１に当接して、刃物３ｂが収納される。
【００２８】
つぎに、叙上の動作（すなわち、図３に示された状態から図４に示された状態に変化する動作）を軸受Ｂ１およびＢ２とケース２とを固定し、あたかも静止した（固定された）状態の軸受Ｂ１、Ｂ２に対する各構成部品の相対的な運動を説明すると、概略つぎのとおりになる。すなわち、まず、テープ１０の貼着操作が終了し、引き金手段４の支点である軸Ａ２を中心にケース２の後方を持ち上げる操作が行なわれる、引き金手段４は、軸Ａ２を支点として時計方向に徐々に旋回する。この引き金手段４の時計方向の旋回に伴い、第１の旋回角度規制手段Ｓ１に切断手段３が当接した状態を維持しつつ、切断手段３のピンＰ２と引き金手段４のアーム部１４Ａ、１４Ｂの一端に設けられたピンＰ１とに係止された引張コイルバネＣが引っ張られる。この引張コイルバネＣの両端Ｐ１、Ｐ２を結ぶ直線が切断手段３の支点（軸Ａ１）より下方に位置するまで、引き金手段４が旋回すると、これまで第１の旋回角度規制手段Ｓ１に当接していた切断手段３が反時計方向に付勢され、反時計方向に旋回して、第１の規制手段である軸Ｓ２（ないしは、軸Ｓ２に回転自在に支持されたローラＳ１）に当接する。
【００２９】
つぎに、引き金手段４の押圧部４ｃの底部全体で被貼着材およびテープへのを押えつけを止めたとき、引張コイルバネＣの長さは、当該バネＣの初期状態の長さより依然として長いため、バネＣの復元力により引き金手段４が反時計方向に旋回を始める。引き金手段４のこの反時計方向の旋回運動に伴い、第１の規制手段である軸Ｓ２（ないしは、軸Ｓ２に回転自在に支持されたローラＳ１）に当接している切断手段３のピンＰ２と引き金手段４のピンＰ１とに接続されたバネＣがバネＣの初期状態より長い状態を維持しつつ、この引張コイルバネＣの両端Ｐ１、Ｐ２を結ぶ直線が切断手段３の支点（軸Ａ１）より上方に位置するまで引き金手段４が旋回すると、切断手段３が時計方向に付勢され、叙上とは逆の動作をして、切断手段３が規制手段Ｓ１に当接して刃物３ｂが収納される。
【００３０】
叙上の本発明の原理だけを示したにすぎない。さらに多くの改造および変更が当業者には容易に思いつくであろうから、本発明に記載されかつ図示された構造および働きのものに限定することは望ましくない。したがって、すべての適当な改造および変更は、特許請求の範囲により定義されているように本発明の範囲内に含まれる。
【００３１】
【発明の効果】
本発明のテープホルダによれば、軸受に旋回自在に支持され、自由端側にテープを切断するための切断手段が設けられ、該切断手段を収納する方向に付勢された揺腕と、軸受に旋回自在に支持され、該揺腕が付勢される方向を、前記切断手段が振り下ろされる方向に切り換えるためのアーム部と、繰り出されたテープの先端部を押圧するための押圧部からなる引き金手段とを備えているため、片手でケースを持ちながら、被貼着面上でケースを後方に移動させるだけで所望の長さだけテープが繰り出され、第１のローラＲ１の圧力（すなわち押圧力）で貼着でき、引き金手段の押圧部を被貼着面に押えつけることによりテープが切断される。テープ切断後、押圧部を被貼着面より浮かすと刃物（図中３ｂ参照）が収納される。以上のごとくテープの貼着、切断、刃物の収納が連続して行なえるものである。
【図面の簡単な説明】
【図１】本発明の一実施の形態にかかわるテープホルダの一例を示す斜視図である。
【図２】図１のテープホルダの要部分解斜視図である。
【図３】図１のテープホルダの使用状態を示す説明図である。
【図４】図１のテープホルダの使用状態を示す説明図である。
【符号の説明】
１    テープホルダ
２    ケース
３    切断手段
３ａ  揺腕
３ｂ  刃物
４    引き金手段
４ａ  孔
４ｂ  長孔
４ｃ  押圧部
５ａ  逆流防止手段
５ｂ  逆流防止手段
１０    テープ
１４Ａ  アーム部
１４Ｂ  アーム部
Ａ１  軸
Ａ２  軸
Ａ３  軸
Ｂ１  軸受
Ｂ２  軸受
Ｃ    引張コイルバネ
Ｐ１  ピン
Ｐ２  ピン
Ｒ１  テープ繰り出し手段
Ｒ２  テープ繰り出し手段
Ｓ１  第１の旋回角度規制手段
Ｓ２  第２の旋回角度規制手段
Ｔ    ピン
【図１】
0003571674.tif 000002
【図２】
0003571674.tif 000003
【図３】
0003571674.tif 000004
【図４】
0003571674.tif 000005